(57)【特許請求の範囲】
【請求項１】
錠部近傍に設置される防犯装置であって、
可動部を備え、所定の方向に押されている場合にロックを解除するロック解除部を１つのみ備え、
前記可動部の可動により、前記錠部の開錠を阻害しない第１の状態と、前記錠部の開錠を阻害する第２の状態とを取ることができ、
前記可動部を前記第２の状態から前記第１の状態に移行させるための力を、前記ロック解除部を介して前記可動部に作用させることができない防犯装置であって、
前記ロック解除部によってロックが解除され且つ前記可動部を前記第２の状態から前記第１の状態に移行させるための力を前記可動部に作用させさえすれば、前記第２の状態から前記第１の状態に移行することができることを特徴とする防犯装置。
【請求項２】
検知対象物の異常を検知するための防犯センサを備え、
前記第１の状態のときに前記防犯センサを用いた異常検知が行われず、前記第２の状態のときに前記防犯センサを用いた異常検知が行われることを特徴とする請求項１に記載の防犯装置。
【請求項３】
前記可動部に前記防犯センサが設けられていることを特徴とする請求項２に記載の防犯装置。
【請求項４】
前記防犯センサを含む電子部品を実装する基板を一つのみ備え、
前記基板が筐体で覆われていることを特徴とする請求項２または請求項３に記載の防犯装置。
【発明の詳細な説明】
【技術分野】
【０００１】
本発明は、錠部近傍に設置される防犯装置に関する。
【背景技術】
【０００２】
従来から、窓ガラス等の打ち破りに対して警報を発する防犯装置（例えば、特許文献１参照）や窓ガラス等の焼き破りに対して警報を発する防犯装置が提案されている（例えば、特許文献２参照）。
【先行技術文献】
【特許文献】
【０００３】
【特許文献１】特開２００３−３６４８３号公報（要約）
【特許文献２】特開２００６−２３６３２２号公報（要約）
【発明の概要】
【発明が解決しようとする課題】
【０００４】
しかしながら、特許文献１や特許文献２で提案されている防犯装置は、窓ガラス等が破壊される際に警報を発することができるものの、窓ガラス等が破壊された後には侵入者が錠部を簡単に開錠することができるという問題を有していた。また、特許文献１や特許文献２で提案されている防犯装置は、住宅等の建物の外部から視認し難いため、犯罪抑止力が小さいという問題も有していた。
【０００５】
本発明は、上記の状況に鑑み、窓ガラス等が破壊されても侵入者が錠部を簡単に開錠することができない防犯装置を提供することを目的とする。
【課題を解決するための手段】
【０００６】
上記目的を達成するために本発明に係る防犯装置は、錠部近傍に設置される防犯装置であって、可動部と、ロック解除部とを備え、前記可動部の可動により、前記錠部の開錠を阻害しない第１の状態と、前記錠部の開錠を阻害する第２の状態とを取ることができ、前記ロック解除部によってロックが解除されていなければ、前記第２の状態から前記第１の状態に移行することができない構成としている。
【０００７】
また、検知対象物の異常を検知するための防犯センサを備え、前記第１の状態のときに前記防犯センサを用いた異常検知が行われず、前記第２の状態のときに前記防犯センサを用いた異常検知が行われるようにしてもよい。さらに、前記可動部に前記防犯センサを設けてもよい。
【０００８】
また、前記防犯センサを含む電子部品を実装する基板を一つのみ備え、前記基板が筐体で覆われるようにしてもよい。
【発明の効果】
【０００９】
本発明に係る防犯装置によると、侵入者が錠部の開錠を試みても、第２の状態が錠部の開錠を阻害する。さらに、第１の状態にすることにより、錠部の開錠の阻害を解除することができるが、ロック解除部によってロックが解除されていなければ、第２の状態から第１の状態に移行することができないので、侵入者が本発明に係る防犯装置を第１の状態にすることは困難である。
【図面の簡単な説明】
【００１０】
【図１】本発明の第１実施形態に係る防犯装置の分解斜視図である。
【図２】本発明の第１実施形態に係る防犯装置の分解側面図である。
【図３】本発明の第１実施形態に係る防犯装置が備える中ケース及びスプリングの正面図である。
【図４Ａ】本発明の第１実施形態に係る防犯装置が備える中ケースとロック解除スイッチとの位置関係を示す図である。
【図４Ｂ】本発明の第１実施形態に係る防犯装置が備える中ケースとスイッチとの位置関係を示す図である。
【図５Ａ】本発明の第１実施形態に係る防犯装置のアーム部が閉じた状態を示す外観図である。
【図５Ｂ】本発明の第１実施形態に係る防犯装置のアーム部が開いた状態を示す外観図である。
【図６】本発明の第１実施形態に係る防犯装置の電気的構成を示す図である。
【図７Ａ】本発明の第２実施形態に係る防犯装置の分解斜視図である。
【図７Ｂ】本発明の第２実施形態に係る防犯装置が備えるベース台とロック解除スイッチとの位置関係を示す図である。
【図７Ｃ】本発明の第２実施形態に係る防犯装置の側面図である。
【図７Ｄ】本発明の第２実施形態に係る防犯装置の上斜め後方から見た斜視図である。
【図８Ａ】本発明の第２実施形態に係る防犯装置の第１の状態を示す外観図である。
【図８Ｂ】本発明の第２実施形態に係る防犯装置の第２の状態を示す外観図である。
【図９】本発明の第３実施形態に係る防犯装置の分解斜視図である。
【図１０Ａ】本発明の第３実施形態に係る防犯装置の第１の状態を示す外観図である。
【図１０Ｂ】本発明の第３実施形態に係る防犯装置の第２の状態を示す外観図である。
【図１１】本発明の第１実施形態に係る防犯装置の他の電気的構成を示す図である。
【発明を実施するための形態】
【００１１】
本発明の実施形態について図面を参照して以下に説明する。
【００１２】
＜本発明の第１実施形態＞
本発明の第１実施形態に係る防犯装置の分解斜視図を図１に示し、本発明の第１実施形態に係る防犯装置の分解側面図を図２に示す。
【００１３】
本発明の第１実施形態に係る防犯装置は、上ケース１と、中ケース２と、下ケース３と、左側上アーム４Ｌと、左側下アーム５Ｌと、左側レンズキャップ６Ｌと、左側センサ基板７Ｌと、右側上アーム４Ｒと、右側下アーム５Ｒと、右側レンズキャップ６Ｒと、右側センサ基板７Ｒと、回路基板８と、ロック解除スイッチ９と、スプリングＳ１及びＳ２とを備えている。下ケース３は、例えば両面接着テープにより、窓枠の内面等に取り付けることができる。
【００１４】
左側下アーム５Ｌ及び左側センサ基板７Ｌが左側上アーム４Ｌにねじ止めされ、左側上アーム４Ｌと左側下アーム５Ｌとが左側センサ基板７Ｌを格納する。また、左側レンズキャップ６Ｌによって集束される赤外線が左側下アーム５Ｌの開口部を介して左側センサ基板７Ｌに搭載されている左側焦電センサ１７Ｌ（図６参照）に入射されるように、左側レンズキャップ６Ｌが左側下アーム５Ｌの開口部にセットされる。左側上アーム４Ｌ、左側下アーム５Ｌ、左側レンズキャップ６Ｌ、及び左側センサ基板７Ｌによって左側アーム部が構成される。
【００１５】
同様に、右側下アーム５Ｒ及び右側センサ基板７Ｒが右側上アーム４Ｒにねじ止めされ、右側上アーム４Ｒと右側下アーム５Ｒとが右側センサ基板７Ｒを格納する。また、右側レンズキャップ６Ｒによって集束される赤外線が右側下アーム５Ｒの開口部を介して右側センサ基板７Ｒに搭載されている右側焦電センサ１７Ｒ（図６参照）に入射されるように、右側レンズキャップ６Ｒが右側下アーム５Ｒの開口部にセットされる。右側上アーム４Ｒ、右側下アーム５Ｒ、右側レンズキャップ６Ｒ、及び右側センサ基板７Ｒによって右側アーム部が構成される。
【００１６】
左側アーム部と右側アーム部はそれぞれ中ケース２に対して回動自在にねじ止めされている。また、左側上アーム４Ｌのギア部と右側上アーム４Ｒのギア部とが噛合しているため、左側アーム部と右側アーム部とは連動して回動する。
【００１７】
さらに、下ケース３が中ケース２にねじ止めされ、下ケース３と中ケース２とが回路基板８及びロック解除スイッチ９を格納する。ロック解除スイッチ９はスプリングＳ１を介して下ケース３に支持されている。
【００１８】
ボタン電池１０は、中ケース２の開口部２Ａ（図３参照）から、回路基板８のボタン電池設置箇所８Ａにセットすることができる。また、上ケース１を中ケース２から取り外すことによって、ボタン電池１０の取り替えが可能となる。
【００１９】
ロック解除スイッチ９が下ケース３側に押されていない場合、ロック解除スイッチ９の係止部９Ａ（図４Ａ参照）は中ケース２の開口部２Ｂ（図３参照）から図４Ａに示すように上ケース１側に突出し、左側下アーム５Ｌ及び右側下アーム５Ｒの各段部５Ａ（図１参照）に当接するので、左側アーム部及び右側アーム部が開くことを防止する。したがって、ロック解除スイッチ９が下ケース３側に押されていない場合、図５Ａに示すような状態（錠部の開錠を阻害しない第１の状態）になる。
【００２０】
これに対して、ロック解除スイッチ９が下ケース３側に押されている場合、ロック解除スイッチ９の係止部９Ａは図４Ｂに示すように上ケース１側に突出せず、左側下アーム５Ｌ及び右側下アーム５Ｒの各段部５Ａ（図１参照）に当接しないので、左側アーム部及び右側アーム部がスプリングＳ２（図３参照）の復元力により開く。したがって、ロック解除スイッチ９が下ケース３側に押されている場合、図５Ｂに示すような状態（錠部の開錠を阻害する第２の状態）になり、錠部（例えばクレセント錠）の開錠を阻害する。なお、図５Ｂから図５Ａの状態に移行させるには、ロック解除スイッチ９を下ケース３側に押しながら、左側アーム部及び右側アーム部を閉じる必要がある。
【００２１】
ここで、本発明の第１実施形態に係る防犯装置の電気的構成を図６に示す。本発明の第１実施形態に係る防犯装置では、Ａ／Ｄ変換回路を含む焦電センサインターフェイス回路１１と、制御部１２と、アンプ１３と、選択回路１４と、信号処理回路１５と、報知部１６と、スイッチ１９とが回路基板８に実装されており、左側焦電センサ１７Ｌ及び左側超音波マイク１８Ｌが左側センサ基板７Ｌに実装されており、右側焦電センサ１７Ｒ及び右側超音波マイク１８Ｒが右側センサ基板７Ｒに実装されている。
【００２２】
左側焦電センサ１７Ｌと焦電センサインターフェイス回路１１及び左側超音波マイク１８Ｌとアンプ１３はそれぞれ、左側センサ基板７Ｌ−回路基板８間の各リード線を介して接続されている。同様に、右側焦電センサ１７Ｒと焦電センサインターフェイス回路１１及び右側超音波マイク１８Ｒとアンプ１３はそれぞれ、右側センサ基板７Ｒ−回路基板８間の各リード線を介して接続されている。
【００２３】
窓ガラス等から発せられる赤外線を検知するための左側焦電センサ１７Ｌ及び右側焦電センサ１７Ｒは、左側焦電センサ１７Ｌ及び右側焦電センサ１７Ｒの出力信号をＡ／Ｄ変換する等の処理を行う焦電センサインターフェイス回路１１を介して制御部１２に接続されている。また、窓ガラス等が破壊する寸前に発生する超音波エネルギー（ＡＥ（Acoustic Emission）波）を検知するための左側超音波マイク１８Ｌ及び右側超音波マイク１８Ｒは、左側超音波マイク１８Ｌ及び右側超音波マイク１８Ｒの出力信号を増幅するアンプ１３と、アンプ１３の出力信号に対して帯域制限（周波数の選択）を行う選択回路１４と、選択回路１４の出力信号をＡ／Ｄ変換する等の処理を行う信号処理回路１５を介して制御部１２に接続されている。
【００２４】
制御部１２は、焦電センサインターフェイス回路１１の出力信号に基づいて、検知対象物（例えば窓ガラス）の焼き破りを事前に検知する。例えば、焦電センサインターフェイス回路１１の出力信号に基づいて検知対象物の温度を算出し、その温度の単位時間毎の変化が所定値より大きい場合に、検知対象物の焼き破りが行われていると判断し、報知部１６を動作させる。また、制御部１２は、信号処理回路１５の出力信号に基づいて、検知対象物（例えば窓ガラス）の打ち破りを検知する。例えば、信号処理回路１５の出力信号が所定のレベル以上である場合に、検知対象物の打ち破りが行われたと判断し、報知部１６を動作させる。
【００２５】
報知部１６は、制御部１２の指示により動作状態になると、ブザー音等の警報音を出力する。これに代えて、又は、これに加えて、家屋内に配備されているホームセキュリティシステム、外部の通信システムに接続可能な家屋内の通信装置、或いは、外部の通信システムに所定の無線信号を送信するようにしてもよい。
【００２６】
さらに、ボタン電池１０はスイッチ１９を介して制御部１２に接続されている。スイッチ１９は、中ケース２の開口部２Ｃ（図３参照）を介して回路基板８側に突出している右側下アーム５Ｒの突起部５Ｂの位置に応じて、ＯＮ／ＯＦＦが切り替わる。より具体的には、左側アーム部及び右側アーム部が閉じている状態では、スイッチ１９はＯＦＦ状態となり、ボタン電池１０から制御部１２に電力が供給されないため、焦電センサや超音波マイクによる検知が停止され、左側アーム部及び右側アーム部が開いている状態では、スイッチ１９はＯＮ状態となり、ボタン電池１０から制御部１２に電力が供給され、焦電センサや超音波マイクによる検知が行われる。
【００２７】
上記のような構成である本発明の第１実施形態に係る防犯装置によると、検知対象物（例えば窓ガラス）の焼き破りや打ち破りの検知を行っているか否かを使用者が防犯装置の形状によって容易に認識することができる。一方、左側アーム部及び右側アーム部が開いた状態は侵入者が外部からも容易に視認することができ、さらに、左側アーム部及び右側アーム部が開いた状態では錠部を簡単に開錠することができないことも侵入者が容易に認識することできるので、犯罪抑止力が大きい。
【００２８】
上記のような構成である本発明の第１実施形態に係る防犯装置によると、窓ガラス等が焼き破りや打ち破りによって破壊される際に警報を発することができる。また、窓ガラス等が破壊されて警報が発せられていても侵入を断念にしない侵入者が錠部の開錠を試みても、開いた状態のアーム部が錠部の開錠を阻害する。さらに、アーム部を閉じた状態にすることにより、警報の発報と錠部の開錠の阻害とを解除することができるが、ロック解除スイッチ９を下ケース３側に押さなければアーム部を閉じることができないので、侵入者が本発明の第１実施形態に係る防犯装置のアーム部を閉じた状態にすることは困難である。
【００２９】
上記のような構成である本発明の第１実施形態に係る防犯装置によると、アーム部が開いた状態において左右それぞれに防犯センサ（焦電センサ、超音波マイク）が配置されることになるので、例えば引き違い式窓の左右の窓ガラスそれぞれを防犯センサの検知対象物にすることができる。
【００３０】
＜本発明の第２実施形態＞
次に、本発明の第２実施形態に係る防犯装置について説明する。なお、本発明の第２実施形態に係る防犯装置の説明において、本発明の第１実施形態に係る防犯装置と同一あるいは類似する部分には同一の符号を付し、詳細な説明を適宜省略する。
【００３１】
本発明の第２実施形態に係る防犯装置の電気的構成は、本発明の第１実施形態に係る防犯装置と同様に図６に示すような構成である。ただし、本発明の第２実施形態に係る防犯装置では、左側焦電センサ１７Ｌ、左側超音波マイク１８Ｌ、右側焦電センサ１７Ｒ、及び右側超音波マイク１８Ｒも回路基板８に実装されている。また、スイッチ１９は、下ケース３とベース台２０との位置関係に応じて、ＯＮ／ＯＦＦが切り替わる。より具体的には、後述する図８Ａに示す第１の状態では、スイッチ１９はＯＦＦ状態となり、ボタン電池１０から制御部１２に電力が供給されないため、焦電センサや超音波マイクによる検知が停止され、後述する図８Ｂに示す第２の状態では、スイッチ１９はＯＮ状態となり、ボタン電池１０から制御部１２に電力が供給され、焦電センサや超音波マイクによる検知が行われる。
【００３２】
本発明の第２実施形態に係る防犯装置の分解斜視図を図７Ａに示す。本発明の第２実施形態に係る防犯装置は、上ケース１と、中ケース２と、下ケース３と、左側レンズキャップ６Ｌと、右側レンズキャップ６Ｒと、回路基板８と、ベース台２０と、ロック解除スイッチ９とを備えている。ベース台２０は、例えば両面接着テープにより、窓枠の内面等に取り付けることができる。
【００３３】
回路基板８が下ケース３にねじ止めされ、下ケース３が中ケース２にねじ止めされ、下ケース３と中ケース２とが回路基板８を格納する。左側レンズキャップ６Ｌによって集束される赤外線が下ケース３の左側開口部を介して回路基板８に搭載されている左側焦電センサ１７Ｌ（図６参照）に入射されるように、左側レンズキャップ６Ｌが下ケース３の左側開口部にセットされる。同様に、右側レンズキャップ６Ｒによって集束される赤外線が下ケース３の右側開口部を介して回路基板８に搭載されている右側焦電センサ１７Ｒ（図６参照）に入射されるように、右側レンズキャップ６Ｒが下ケース３の右側開口部にセットされる。
【００３４】
また、ロック解除スイッチ９がスプリングＳ１を介してベース台２０に支持されており（図７Ｂ参照）、ベース台２０が下ケース３に対して回動自在にねじ止めされている。ただし、下ケース３のベース台２０に対する回動は、ロック解除スイッチ９がスプリングＳ１側に押されていてロック解除スイッチ９の突起部９Ｂ（図７Ｃ参照）が下ケース３の溝部３Ａ（図７Ｄ参照）にはまることができる状態においてのみ可能である。
【００３５】
ボタン電池１０は回路基板８のボタン電池設置箇所８Ａにセットすることができる。また、上ケース１を中ケース２から取り外すことによって、ボタン電池１０の取り替えが可能となる。
【００３６】
本発明の第２実施形態に係る防犯装置は、図８Ａに示す錠部の開錠を阻害しない第１の状態と、図８Ｂに示す錠部の開錠を阻害する第２の状態とを取ることができる。第２の状態から第１の状態への移行する際には、ロック解除スイッチ９によってロックが解除される必要がある。
【００３７】
上記のような構成である本発明の第２実施形態に係る防犯装置によると、検知対象物（例えば窓ガラス）の焼き破りや打ち破りの検知を行っているか否かを使用者が防犯装置の形状によって容易に認識することができる。一方、図８Ｂに示す錠部の開錠を阻害する第２の状態は侵入者が外部からも容易に視認することができ、さらに、図８Ｂに示す錠部の開錠を阻害する第２の状態では錠部を簡単に開錠することができないことも侵入者が容易に認識することできるので、犯罪抑止力が大きい。
【００３８】
上記のような構成である本発明の第２実施形態に係る防犯装置によると、窓ガラス等が焼き破りや打ち破りによって破壊される際に警報を発することができる。また、窓ガラス等が破壊されて警報が発せられていても侵入を断念にしない侵入者が錠部の開錠を試みても、図８Ｂに示す第２の状態が錠部の開錠を阻害する。さらに、図８Ａに示す第１の状態にすることにより、警報の発報と錠部の開錠の阻害とを解除することができるが、ロック解除スイッチ９によってロックが解除されなければ図８Ｂに示す第２の状態から図８Ａに示す第１の状態に移行することができないので、侵入者が本発明の第２実施形態に係る防犯装置を図８Ａに示す第１の状態にすることは困難である。
【００３９】
上記のような構成である本発明の第２実施形態に係る防犯装置によると、図８Ｂに示す第２の状態において左右それぞれに防犯センサ（焦電センサ、超音波マイク）が配置されることになるので、例えば引き違い式窓の左右の窓ガラスそれぞれを防犯センサの検知対象物にすることができる。
【００４０】
上記のような構成である本発明の第２実施形態に係る防犯装置によると、電子部品を実装する基板が単一であるため、その単一の基板を筐体（上ケース１、中ケース２、及び下ケース３によって構成される筐体）で覆うことができるので、シールド効果が高い。したがって、侵入者が電磁波等により本発明の第２実施形態に係る防犯装置の電子部品の破壊を試みても、その破壊に対する耐性が高いので、安全である。
【００４１】
＜本発明の第３実施形態＞
次に、本発明の第３実施形態に係る防犯装置について説明する。なお、本発明の第３実施形態に係る防犯装置の説明において、本発明の第１実施形態に係る防犯装置や本発明の第２実施形態に係る防犯装置と同一あるいは類似する部分には同一の符号を付し、詳細な説明を適宜省略する。
【００４２】
本発明の第３実施形態に係る防犯装置の電気的構成は、本発明の第１実施形態に係る防犯装置と同様に図６に示すような構成である。ただし、本発明の第３実施形態に係る防犯装置では、右側焦電センサ１７Ｒ及び右側超音波マイク１８Ｒも回路基板８に実装されている。また、スイッチ１９は、アーム部とベース台２０との位置関係に応じて、ＯＮ／ＯＦＦが切り替わる。より具体的には、後述する図１０Ａに示す第１の状態では、スイッチ１９はＯＦＦ状態となり、ボタン電池１０から制御部１２に電力が供給されないため、焦電センサや超音波マイクによる検知が停止され、後述する図１０Ｂに示す第２の状態では、スイッチ１９はＯＮ状態となり、ボタン電池１０から制御部１２に電力が供給され、焦電センサや超音波マイクによる検知が行われる。
【００４３】
本発明の第３実施形態に係る防犯装置の分解斜視図を図９に示す。本発明の第３実施形態に係る防犯装置は、上ケース１と、左側上アーム４Ｌと、左側下アーム５Ｌと、左側レンズキャップ６Ｌと、左側センサ基板７Ｌと、右側上アーム４Ｒと、右側下アーム５Ｒと、右側レンズキャップ６Ｒと、回路基板８と、ベース台２０と、かさ歯車２１〜２３とを備えている。ベース台２０は、例えば両面接着テープにより、窓枠の内面等に取り付けることができる。
【００４４】
左側下アーム５Ｌ及び左側センサ基板７Ｌが左側上アーム４Ｌにねじ止めされ、左側上アーム４Ｌと左側下アーム５Ｌとが左側センサ基板７Ｌを格納する。また、左側レンズキャップ６Ｌによって集束される赤外線が左側下アーム５Ｌの開口部を介して左側センサ基板７Ｌに搭載されている左側焦電センサ１７Ｌ（図６参照）に入射されるように、左側レンズキャップ６Ｌが左側下アーム５Ｌの開口部にセットされる。左側上アーム４Ｌ、左側下アーム５Ｌ、左側レンズキャップ６Ｌ、及び左側センサ基板７Ｌによって左側アーム部が構成される。
【００４５】
また、右側下アーム５Ｒ及び回路基板８が右側上アーム４Ｒにねじ止めされ、右側上アーム４Ｌと右側下アーム５Ｌとが回路基板８を格納する。また、右側レンズキャップ６Ｒによって集束される赤外線が右側下アーム５Ｒの開口部を介して回路基板８に搭載されている右側焦電センサ１７Ｒ（図６参照）に入射されるように、右側レンズキャップ６Ｒが右側下アーム５Ｒの開口部にセットされる。右側上アーム４Ｒ、右側下アーム５Ｒ、右側レンズキャップ６Ｒ、及び回路基板８によって右側アーム部が構成される。
【００４６】
ベース台２０は右側下アーム５Ｒに対して回動自在にねじ止めされている。また、右側下アーム５Ｒに設けられるかさ歯車２１と、左側下アーム５Ｌに設けられるかさ歯車２３とがかさ歯車２２を介して噛合しているため、左側アーム部と右側アーム部とは連動して回動する。ただし、左側アーム部と右側アーム部とのベース台２０に対する回動は、ロックが解除されている状態においてのみ可能である。なお、本実施形態ではロック解除スイッチ等のロック解除機構の図示及び説明を省略しているが、例えば第２実施形態と同様のロック解除機構を用いることができる。
【００４７】
ボタン電池１０は、右側上アーム４Ｒの開口部２Ａから、回路基板８のボタン電池設置箇所にセットすることができる。また、上ケース１を右側上アーム４Ｒから取り外すことによって、ボタン電池１０の取り替えが可能となる。
【００４８】
本発明の第３実施形態に係る防犯装置は、図１０Ａに示す錠部の開錠を阻害しない第１の状態と、図１０Ｂに示す錠部の開錠を阻害する第２の状態とを取ることができる。第２の状態から第１の状態への移行する際には、ロック解除機構によってロックが解除される必要がある。
【００４９】
上記のような構成である本発明の第３実施形態に係る防犯装置によると、検知対象物（例えば窓ガラス）の焼き破りや打ち破りの検知を行っているか否かを使用者が防犯装置の形状によって容易に認識することができる。一方、図１０Ｂに示す錠部の開錠を阻害する第２の状態は侵入者が外部からも容易に視認することができ、さらに、図１０Ｂに示す錠部の開錠を阻害する第２の状態では錠部を簡単に開錠することができないことも侵入者が容易に認識することできるので、犯罪抑止力が大きい。
【００５０】
上記のような構成である本発明の第３実施形態に係る防犯装置によると、窓ガラス等が焼き破りや打ち破りによって破壊される際に警報を発することができる。また、窓ガラス等が破壊されて警報が発せられていても侵入を断念にしない侵入者が錠部の開錠を試みても、図１０Ｂに示す第２の状態が錠部の開錠を阻害する。さらに、図１０Ａに示す第１の状態にすることにより、警報の発報と錠部の開錠の阻害とを解除することができるが、ロック解除機構によってロックが解除されなければ図１０Ｂに示す第２の状態から図１０Ａに示す第１の状態に移行することができないので、侵入者が本発明の第３実施形態に係る防犯装置を図１０Ａに示す第１の状態にすることは困難である。
【００５１】
上記のような構成である本発明の第３実施形態に係る防犯装置によると、図１０Ｂに示す第２の状態において左右それぞれに防犯センサ（焦電センサ、超音波マイク）が配置されることになるので、例えば引き違い式窓の左右の窓ガラスそれぞれを防犯センサの検知対象物にすることができる。
【００５２】
＜その他＞
以上、本発明に係る実施形態について説明したが、本発明の範囲はこれに限定されるものではなく、発明の主旨を逸脱しない範囲で種々の変更を加えて実行することができる。
【００５３】
例えば、上述した実施形態では、検知対象物の焼き破りと検知対象物の打ち破りの双方を検知して警報を発したが、いずれか一方のみを検知する形態でも良く、また、双方とも検知しない形態であっても良い。
【００５４】
また、例えば、図６に示す電気的構成の代わりに、図１１に示すような電気的構成を採用してもよい。図１１に示す電気的構成では、ボタン電池１０が制御部１２に直接接続されている点、及び、スイッチ１９がＯＦＦ状態であれば制御部１２は動作停止状態となり、スイッチ１９がＯＮ状態であれば制御部１２は動作状態となる点が、図６に示す電気的構成と異なっている。
【符号の説明】
【００５５】
１  上ケース
２  中ケース
２Ａ、２Ｂ、２Ｃ  開口部
３  下ケース
３Ａ  溝部
４Ｌ  左側上アーム
４Ｒ  右側上アーム
５Ａ  段部
５Ｂ  突起部
５Ｌ  左側下アーム
５Ｒ  右側下アーム
６Ｌ  左側レンズキャップ
６Ｒ  右側レンズキャップ
７Ｌ  左側センサ基板
７Ｒ  右側センサ基板
８  回路基板
８Ａ  ボタン電池設置箇所
９  ロック解除スイッチ
９Ａ  係止部
９Ｂ  突起部
１０  ボタン電池
１１  焦電センサインターフェイス回路
１２  制御部
１３  アンプ
１４  選択回路
１５  信号処理回路
１６  報知部
１７Ｌ  左側焦電センサ
１７Ｒ  右側焦電センサ
１８Ｌ  左側超音波マイク
１８Ｒ  右側超音波マイク
１９  スイッチ
２０  ベース台
２１〜２３  かさ歯車
Ｓ１、Ｓ２  スプリング
【図１】
0005584897.tif 000002
【図２】
0005584897.tif 000003
【図３】
0005584897.tif 000004
【図４Ａ】
0005584897.tif 000005
【図４Ｂ】
0005584897.tif 000006
【図５Ａ】
0005584897.tif 000007
【図５Ｂ】
0005584897.tif 000008
【図６】
0005584897.tif 000009
【図７Ａ】
0005584897.tif 000010
【図７Ｂ】
0005584897.tif 000011
【図７Ｃ】
0005584897.tif 000012
【図７Ｄ】
0005584897.tif 000013
【図８Ａ】
0005584897.tif 000014
【図８Ｂ】
0005584897.tif 000015
【図９】
0005584897.tif 000016
【図１０Ａ】
0005584897.tif 000017
【図１０Ｂ】
0005584897.tif 000018
【図１１】
0005584897.tif 000019